(57)【要約】【課題】  陳列棚に取り付けられた様々な仕様の宣伝用プライスレールに汎用的に使用可能な化粧料テスター陳列台の提供。【解決手段】  後方へ傾斜して設けられた前板と、前記前板の上部より後方へ略水平に折り返された天板と、前記前板の下部より後方へ略水平に折り返された底板と、前記天板の後部より下方に折り返された後板と、前記底板の後部より前記前板と前記後板の間へ折り返されるとともに、前後に傾斜自在に形成された背板とを備えた化粧料テスター陳列台であって、前記前板には上部の一部を残して切り抜き形成された抜き板部を前記切り残された上部で本体内側に折り返すことにより化粧料テスター保持用孔部が設けられていることを特徴とする化粧料テスター陳列台。【選択図】  図１
2008284115.tif 000002
【特許請求の範囲】
【請求項１】
後方へ傾斜して設けられた前板と、前記前板の上部より後方へ略水平に折り返された天板と、前記前板の下部より後方へ略水平に折り返された底板と、前記天板の後部より下方に折り返された後板と、前記底板の後部より前記前板と前記後板の間へ折り返されるとともに、前後に傾斜自在に形成された背板とを備えた化粧料テスター陳列台であって、前記前板には上部の一部を残して切り抜き形成された抜き板部を前記切り残された上部で本体内側に折り返すことにより化粧料テスター保持用孔部が設けられていることを特徴とする化粧料テスター陳列台。
【請求項２】
前記抜き板部が、その下端において前記底板と接触していることを特徴とする請求項１に記載の化粧料テスター陳列台。
【請求項３】
前記後板の前面に滑り止め部が設けられていることを特徴とする請求項１または請求項２のいずれかに記載の化粧料テスター陳列台。
【請求項４】
前記抜き板部が、前記底板と接する下端部において該底板と水平な直線形状に形成されていることを特徴とする請求項１ないし請求項３のいずれかに記載の化粧料テスター陳列台。
【請求項５】
透明なＰＥＴ樹脂を素材として、折り曲げ成形により形成されていることを特徴とする請求項１ないし請求項４のいずれかに記載の化粧料テスター陳列台。
【請求項６】
前記化粧料テスター保持用孔部が、該孔部に化粧料テスター容器を保持せしめたときに、該孔部の縁部と化粧料テスター容器の外周面との間の距離が１ｍｍになるように形成されていることを特徴とする請求項１ないし請求項５のいずれかに記載の化粧料テスター陳列台。
【発明の詳細な説明】
【技術分野】
【０００１】
本発明は、化粧品販売用のテスター（試供品）を展示陳列するための陳列台に関し、更に詳細には、陳列棚に取り付けられた宣伝用プライスレールに着脱可能な化粧料テスター陳列台の構成に関するものである。
【背景技術】
【０００２】
昨今の化粧品の売場および販売方法の多様化により、化粧品売場は従来の専門店舗から、ドラッグストア、コンビニエンスストアなどにまで広がり、販売方式も従来の販売員の対面接客による販売方式から、顧客が自由に試し、選べるセルフ販売方式へと変化している。したがって、店員の接客によらずとも、顧客自身で商品を自由に試すことができ、かつその商品についてより効果的に訴求することができる売り場作りが求められている。
【０００３】
具体的には、顧客自身で商品を自由に試すことができるように、セルフ販売方式の店では、商品陳列用什器の棚に、化粧品のテスター（試供品）を陳列するための陳列台を取り付けることが一般に行われており、特許文献１あるいは特許文献２には、かかるテスター陳列台が開示されている。
【０００４】
一方、商品情報をより効果的に訴求するために、陳列棚の前面に、図９や図１０のような商品の成分についての説明やその効用を謳った宣伝用プライスレールを取り付けることも一般的に行われている。
【０００５】
ところが、一般の陳列什器の棚は規格化されているため、その仕様に合わせたテスター陳列台を用意することに問題はなかったが、宣伝用プライスレールは、各メーカーがそれぞれの化粧品ブランドに合わせて独自の仕様で製作するため、その寸法・形状なども多種多様化しており、上記の特許文献に記載された陳列台では、そのような様々な仕様のプライスレールに汎用的に使用することができないという問題が生じていた。
【０００６】
【特許文献１】特開２００１−２９９５１８
【特許文献２】特開２０００−２９６０３９
【発明の開示】
【発明が解決しようとする課題】
【０００７】
そこで本発明は、従来の化粧料テスター陳列台のかかる欠点を克服し、陳列棚に取り付けられた様々な仕様の宣伝用プライスレールに汎用的に使用可能な化粧料テスター陳列台の提供をその課題とするものである。
【課題を解決するための手段】
【０００８】
本発明は、上記課題を解決するものであり、後方へ傾斜して設けられた前板と、前記前板の上部より後方へ略水平に折り返された天板と、前記前板の下部より後方へ略水平に折り返された底板と、前記天板の後部より下方に折り返された後板と、前記底板の後部より前記前板と前記後板の間へ折り返されるとともに、前後に傾斜自在に形成された背板とを備えた化粧料テスター陳列台であって、前記前板には上部の一部を残して切り抜き形成された抜き板部を前記切り残された上部で本体内側に折り返すことにより化粧料テスター保持用孔部が設けられていることを特徴とする化粧料テスター陳列台である。
【発明の効果】
【０００９】
本発明の化粧料テスター陳列台は、天板と後板および背板部分で宣伝用プライスレールの上部に引っ掛けるだけで取り付け可能な陳列台であり、様々な仕様の宣伝用プライスレールに汎用的に使用できるものである。
【００１０】
すなわち、本発明の化粧料テスター陳列台を宣伝用プライスレールに取り付けるに際し、天板と後板部分でプライスレールの上部に引っ掛けて、その後、背板で本体を支持するが、該背板が前後に傾斜自在に形成されているため、寸法・形状がまちまちなプライスレールに対しても安定的に取り付けることができる。
【００１１】
また、前板を切り抜いて形成された抜き板部の下端が底板と接触するように形成されていることにより、本発明の化粧料テスター陳列台の取り付け時や陳列時に本体を安定的に保持できるとともに、テスターの転落を防止できる。
【００１２】
さらに、本発明の化粧料テスター陳列台は、１枚の板状素材の一部を切り抜き、折り曲げ成形することにより製造できるため、容易に製造可能であり、製造コストを低く抑えることができる。
【発明を実施するための最良の形態】
【００１３】
以下、本発明の包装容器の実施態様を、図面に基づいて具体的に説明する。なお、本発明はこれら実施態様に何ら制約されるものではない。
【００１４】
図１は本発明に係る化粧料テスター陳列台の斜視図、図２は同正面図、図３は同側面図、図４は本発明に係る化粧料テスター陳列台にテスターを収納した状態を示す拡大平面図である。各図中、１は化粧料テスター陳列台本体、１１は前板、１２は天板、１３は底板、１４は背板、１５は後板、１６は抜き板部、１７はテスター保持用孔部、１８は滑り止め部、Ｐはテスターをそれぞれ示す。
【００１５】
図に示すように、本実施態様の化粧料テスター陳列台１は、一枚の板状素材を折り曲げ成形することによって形成されている。具体的には、後方へ傾斜した前板１１の上部から天板１２が後方へ略水平に折り返され、同じく前板１１の下部からは底板１３が後方へ略水平に折り返されている。さらに、天板１２の後部からは後板１５が下方へと折り返され、また、底板１３の後部からは背板１４が、前板１１と後板１５との間に傾斜して立ち上がるように、折り返されている。
【００１６】
前板１１には、二箇所の保持用孔部１７が形成されているが、該孔部は、まず、前板１１に上部の一部を切り残した略楕円形の切り込みを入れて抜き板部１６を形成し、次に、上部の切り残した部分において、該抜き板部１６を底板１３に対してほぼ垂直（側面視）となるよう陳列台本体１の内側に折り返すことによって形成されている。そして、抜き板部１６はその下端部において底板１３と接触している。
【００１７】
保持用孔部１７は本実施態様では二箇所設けられているが、特にその数は限定されず、陳列したいテスターの数に応じて決めることができる。また、保持用孔部１７の形状は、特に限定されず、陳列したいテスター容器の形状に応じて決めることができるが、手に取りやすさと安定的な容器の保持（脱落防止）の両立のために、図４に示すように、テスター容器Ｐの外周面と保持用孔部１７の縁部との間の距離Ｘが１ｍｍ程度となるようにクリアランス（間隔）を設けることが好ましい。
【００１８】
抜き板部１６の形状は任意に決めることができる。例えば、図１のように保持用孔部１７を楕円形状に形成した場合、抜き板部１６の形状も、図５のような楕円形状のままでもよいが、底板１３との接触部においてより安定的に支持するために、図６のように、底板１３と接触する下端部においてその先端を底板１３と水平にカットして、底板との接触面を広くすることが好ましい。
【００１９】
本実施態様の化粧料テスター陳列台は、背板１４が前後に撓むことにより傾斜自在に形成されており、様々な仕様の宣伝用プライスレールに取り付け可能であるが、このように傾斜自在とするために、本体の素材はある程度弾性を有する素材、例えば、ＰＥＴ樹脂などを選択することが好ましく、その厚さは、化粧料テスター陳列台の本体が適度な可撓性を有するよう、１ｍｍ程度とすることが好ましい。さらに、本発明にかかる化粧料テスター陳列台は、宣伝用プライスレールの前面に掛けることになるため、宣伝用プライスレールの表示が化粧料テスター陳列台取り付け時にも見えるよう、透明な素材を選択することが好ましい。
【００２０】
また、本実施態様の化粧料テスター陳列台のように、後板１５の前面に滑り止め部１８を設けることにより、陳列台自身がプライスレールからあやまって外れてしまうことがなくなり、安定的に取り付け可能となるため、好ましい。かかる滑り止め部は、表面が滑らかな樹脂同士が接したときに両者が滑ることを妨げる程度の摩擦係数を有する素材であればよく、ゴム製、シリコーンゴム製などのシート状素材を選択することができる。
【００２１】
以下に、本実施態様の化粧料テスター陳列台の具体的な使用例について説明する。図７は本発明に係る化粧料テスター陳列台の使用態様の側面図、図８は異なる宣伝用プライスレールに取り付け時の化粧料テスター陳列台の側面図、図９および図１０は取り付け対象の宣伝用プライスレールの実施態様を示す斜視図である。
【００２２】
図７に示すように、本実施態様の化粧料テスター陳列台１の宣伝用プライスレール２への取り付けは、天板１２と後板１５を宣伝用プライスレール２の上面と後ろ側の立ち上がり面に引っ掛け、背板１４を宣伝用プライスレールへの前面にあてがうだけでよい。この状態で、化粧料テスターＰを保持用孔部１７に挿し込み、陳列台に保持することができる。そして、化粧料テスターを保持した状態では、化粧料テスターそのものの重みにより、背板１４が宣伝用プライスレール２の前面に押しつけられ、さらに、天板１２には下方への、後板１５には前方への力がそれぞれ働くため、化粧料テスター陳列台１は宣伝用プライスレール２に、より安定的に固定される。
【００２３】
また、図１０のタイプの宣伝用プライスレール３へ本実施態様の化粧料テスター陳列台１を取り付ける場合、図８に示すとおり、前方へ傾斜している背板１４を前方へさらに押圧して傾斜させて後板１５と背板１４との間隔を広げながら、あとは図７での取り付けと同じ要領で取り付ければよい。ここで、背板１４を前方へさらに傾斜させると、底板１３が前板１１との境を支点にして上方に押し上げられるが（図中矢印）、このとき、抜き板部１６はその下端が底板１３に接触しているが固定はされていないため、その接触点が前方に移動するように抜き板部１６自身も前方へと傾斜する。ここで、抜き板部１６がその下端で底板１３と常に接触しているため、取り付け時も本体の形状は安定的に維持される。また、化粧料テスターを保持する際は、抜き板部１６が容器後方の支えになって、需要者がテスターを手に取るときや収納するときに、陳列台の前方へテスターが転倒し、転落することを防ぐことができる。
【産業上の利用可能性】
【００２４】
以上説明したように、本発明の化粧料テスター陳列台は、化粧品分野での利用が望まれているが、当業界のみならず、サンプル品を展示する必要がある様々な分野の商品に応用可能であることはいうまでもない。
【図面の簡単な説明】
【００２５】
【図１】本発明に係る化粧料テスター陳列台の斜視図。
【図２】本発明に係る化粧料テスター陳列台の正面図。
【図３】本発明に係る化粧料テスター陳列台の側面図。
【図４】本発明に係る化粧料テスター陳列台にテスターを保持せしめた状態を示す拡大平面図。
【図５】本発明に係る化粧料テスター陳列台の抜き板部の一実施態様を示す正面図。
【図６】本発明に係る化粧料テスター陳列台の抜き板部の一実施態様を示す正面図。
【図７】本発明に係る化粧料テスター陳列台の使用態様を示す側面図。
【図８】異なる仕様の宣伝用プライスレールに取り付ける時の態様を示す化粧料テスター陳列台の側面図。
【図９】宣伝用プライスレールの斜視図。
【図１０】宣伝用プライスレールの斜視図。
【符号の説明】
【００２６】
１  …  …  化粧料テスター陳列台
２  …  …  宣伝用プライスレール
３  …  …  宣伝用プライスレール
１１  …  …  前板
１２  …  …  天板
１３  …  …  底板
１４  …  …  背板
１５  …  …  後板
１６  …  …  抜き板部
１７  …  …  テスター保持用孔部
１８  …  …  滑り止め
Ｐ  …  …  テスター容器
Ｘ  …  …  テスター容器の外周面と保持用孔部の縁部との間の距離
以    上
【図１】
2008284115.tif 000003
【図２】
2008284115.tif 000004
【図３】
2008284115.tif 000005
【図４】
2008284115.tif 000006
【図５】
2008284115.tif 000007
【図６】
2008284115.tif 000008
【図７】
2008284115.tif 000009
【図８】
2008284115.tif 000010
【図９】
2008284115.tif 000011
【図１０】
2008284115.tif 000012